(57)【要約】【課題】回収した廃材を簡単に排出することができ、さらに廃材が鋭利なものであるときなどでも、安全に排出作業を行うことのできる回収箱を提供する。【解決手段】上面が開口した略直方体形状の回収箱１は、上面開口部が、廃材を投入するための投入口１０を形成している。底面板１４は、ラッチ機構２やロック機構３によって開閉可能に設けられており、この底面板１４を開放することによって、下端部の排出口から、内部に収容した廃材が排出される。また、前面板１１と背面板１３には夫々、回収箱１を鉛直方向に持ち上げた状態に保持するための挿入孔１１１、１３１が形成されている。【選択図】図１
0003172827.tif 000002
【実用新案登録請求の範囲】
【請求項１】
廃材を投入するための開口部が上面に形成されると共に、下面に形成された開閉自在な排出口から、収容した廃材を排出させられる略直方体形状の廃材の回収箱であって、
前面板と、
上記前面板の両端に直角に連設した一対の側面板と、
上記側面板の両端に直角に連設すると共に、上記前面板と対向して設けられた背面板と、
上記前面板、上記側面板、及び上記背面板の下端部に設けられ、蝶番を介して、上記前面板、上記一対の背面板、及び上記背面板の下端部に形成される上記廃材の排出口を、開閉自在に閉塞する底面板と、を有し、
上記前面板には、上記底面板に設けられた第二の掛止部と掛止して、上記排出口を開放不能にする第一の掛止部、が設けられ、
上記底面板には、上記前面板に設けられた第一の掛止部と掛止して、上記排出口を開放不能にする第二の掛止部、が設けられ、
上記前面板と上記背面板には、上記回収箱を鉛直方向に持ち上げた状態に保持するための保持部、が形成されている、
ことを特徴とする廃材の回収箱。
【請求項２】
上記蝶番は、上記背面板と上記底面板を連結し、上記底面板が上記前面板側から開閉する、
請求項１記載の廃材の回収箱。
【請求項３】
上記保持部は、上記対向する前面板と背面板の互いに対応する位置に形成された、上記回収箱を鉛直方向に持ち上げるための略棒状の支持具を挿通させるための挿通孔である、
請求項１又は２記載の廃材の回収箱。
【請求項４】
上記挿通孔は、上記前面板及び上記背面板の上端部近傍に形成されている、
請求項３記載の廃材の回収箱。
【請求項５】
上記第一の掛止部は、上記側面板に設けられている、
請求項１乃至４いずれかの項に記載の廃材の回収箱。
【請求項６】
上記底面板には、上記回収箱を移動させるためのキャスターが取り付けられている、
請求項１乃至５いずれかの項に記載の廃材の回収箱。
【考案の詳細な説明】
【技術分野】
【０００１】
本考案は、回収した廃材の排出を容易にした回収箱に関する。
【背景技術】
【０００２】
工場などで排出される廃材は通常、回収箱に回収された後、より大きなコンテナ等に集約され、コンテナが満杯になるなどすると、回収業者等によって回収されて処理施設等に運搬される。
【０００３】
この点、一般的な回収箱は、特許文献１に記載された廃材回収容器のように、廃材等を投入するための開口部が上方に設けられた箱型形状からなり、吊り手等の運搬用の保持部が適宜設けられている。
【先行技術文献】
【特許文献】
【０００４】
【特許文献１】特開２０００−２５５７０２号公報
【考案の概要】
【考案が解決しようとする課題】
【０００５】
特許文献１に記載されているような従来の回収箱は、廃材の投入口が排出口も兼ねており、上面の開口部から投入された廃材を排出する場合には、回収箱自体を傾けた上、廃材を投入口兼排出口から掻き出すなどして排出していた。
【０００６】
しかしながら、家庭ごみなどの軽量なゴミであればまだしも、工場などで出される廃材などは重量があり、回収箱を傾けるのは必ずしも容易でない。また、廃材にはガラスや金属の破片などの鋭利なものが含まれることもあるため、掻き出し作業は危険を伴う。
【０００７】
そこで、本考案は、回収した廃材を簡単に排出することができ、さらに廃材が鋭利なものであるときなどでも、安全に排出作業を行うことのできる回収箱を提供することを目的とする。
【課題を解決するための手段】
【０００８】
上記目的を達成するため、本考案に係る廃材の回収箱は、廃材を投入するための開口部が上面に形成されると共に、下面に形成された開閉自在な排出口から、収容した廃材を排出させられる略直方体形状の廃材の回収箱であって、前面板と、上記前面板の両端に直角に連設した一対の側面板と、上記側面板の両端に直角に連設すると共に、上記前面板と対向して設けられた背面板と、上記前面板、上記側面板、及び上記背面板の下端部に設けられ、蝶番を介して、上記前面板、上記一対の背面板、及び上記背面板の下端部に形成される上記廃材の排出口を、開閉自在に閉塞する底面板と、を有し、上記前面板には、上記底面板に設けられた第二の掛止部と掛止して、上記排出口を開放不能にする第一の掛止部、が設けられ、上記底面板には、上記前面板に設けられた第一の掛止部と掛止して、上記排出口を開放不能にする第二の掛止部、が設けられ、上記前面板と上記背面板には、上記回収箱を鉛直方向に持ち上げた状態に保持するための保持部、が形成されていることを特徴とする。
直方体形状には、六面が略正方形の略立方体形状が含まれる。
【０００９】
また、上記蝶番は、上記背面板と上記底面板を連結し、上記底面板が上記前面板側から開閉するものとしてもよい。
【００１０】
また、上記保持部は、上記対向する前面板と背面板の互いに対応する位置に形成された、上記回収箱を鉛直方向に持ち上げるための略棒状の支持具を挿通させるための挿通孔であるものとしてもよい。
【００１１】
また、上記挿通孔は、上記前面板及び上記背面板の上端部近傍に形成されているものとしてもよい。
【００１２】
また、上記第一の掛止部は、上記側面板に設けられているものとしてもよい。
【００１３】
また、上記底面板には、上記回収箱を移動させるためのキャスターが取り付けられているものとしてもよい。
【考案の効果】
【００１４】
本考案によれば、底面板の開放によって、下端部の排出口から廃材をまとめて排出することができる。そのため、いちいち回収箱を傾けて、上面の開口部から廃材を掻き出したりせずに済み、労力を削減できるし、廃材が鋭利なものであるときにも安全性を確保することができる。
【図面の簡単な説明】
【００１５】
【図１】本考案の実施形態に係る回収箱の外観を示す図であって、（ａ）斜視図、（ｂ）正面図、（ｃ）側面図である。
【図２】本実施形態に係る回収箱において、底面板の開閉動作を示す平面図である。
【図３】本実施形態に係る回収箱のラッチ機構を示す平面図である。
【図４】本実施形態に係る回収箱のロック機構を示す平面図である。
【図５】本実施形態に係る回収箱を鉛直方向に持ち上げた状態を示す斜視図である。
【図６】本実施形態に係る回収箱において、収容されていた廃材を排出する様子を示す
【考案を実施するための形態】
【００１６】
以下、本考案の実施形態に係る回収について図を参照して説明する。
図１に示されるように、本実施形態に係る回収箱１は、上面が開口した中空の略直方体形状からなり、前面板１１、一対の側面板１２、背面板１３、及び底面板１４を有する。
この回収箱１は、ガラスや金属の破片等、特に鋭利な廃材を回収、収容するための箱であり、上面の開口部が廃材の投入口１０を形成している。投入口１０から投入され、内部に収容された廃材は、底面板１４によって開閉自在に形成された排出口を開放して排出することができる。
【００１７】
一対の側面板１２は、前面板１１の両側端にそれぞれ直角に連設されている。
背面板１３は、一対の側面板１２の側端に連設され、前面板１１と対向して設けられている。
底面板１４は、前面板１１、一対の側面板１２、及び背面板１３の下端に設けられている。
【００１８】
前面板１１には、上端部近傍に挿通孔１１１が二ヶ所、左右対称な位置に形成されている。
この挿通孔１１１は、背面板１３に形成されている挿通孔１３１と対応する位置に形成されており、回収箱１を鉛直方向に持ち上げるフォークリフトのフォーク等を挿通させることができる。
【００１９】
また、背面板１３にも、前面板１１の挿通孔１１１に対応して、上端部近傍に挿通孔１３１が二ヶ所、左右対称な位置に形成されている。
この挿通孔１３１には挿通孔１１１と同様、回収箱１を鉛直方向に持ち上げるフォークリフトのフォーク等を挿通させることができる。
【００２０】
底面板１４は、ラッチ機構２及びロック機構３によって前面板１１と施解錠可能に連結されると共に、蝶番１５によって背面板１３と連結されている。
ラッチ機構２及びロック機構３を解錠すると、図２に示されるように、底面板１４と前面板１１との連結が解かれ、底面板１４が蝶番１５を中心に回動して底面板１４が開く。これにより、前面板１１、一対の側面板１２、及び背面板１３の下端に形成される排出口１６が開放され、回収箱１内に収容されていた廃材を排出口１６から排出することができる。
【００２１】
また逆に、蝶番１５を中心に底面板１４を回動させて、前面板１１、一対の側面板１２、及び背面板１３の直下に配置し、ラッチ機構２及びロック機構を施錠すると、底面板と１４と前面板１１とが連結される。これにより、排出口１６が閉塞し、開口部１０から投入された廃材が内部に収容可能となる。
なお、底面板１４の下面には、キャスター４が取り付けられており、これにより回収箱１を容易に移動させることができる。
【００２２】
前面板１１と底面板１４を連結するラッチ機構２は、図３に示されるように、前面板１１の下端部に設けられた掛止金具２１と、これに対応して底面板１４の端部に設けられた掛止突起２２とから構成される。なお、掛止金具２１は、前面板１１に取り付けられた掛止基部２１ａと、掛止基部２１ａに取り付けられた掛止片２１ｂとからなる。
【００２３】
掛止片２１ｂは、掛止基部２１ａに取り付けられている端部を中心に回動させることができる。掛止片２１ｂを回動させて、掛止片２１ｂの内部に形成された凹状の受け部に掛止突起２２を掛止させることにより、ラッチ機構２は施錠された状態となる。
また、施錠された状態から、施錠する場合とは逆方向に掛止片２１ｂを回動させることで、掛止突起２２を掛止片２１ｂから外すことができ、これによりラッチ機構２は解錠された状態となる。
【００２４】
前面板１１と底面板１４を連結するロック機構３は、図４に示されるように、前面板１１の下端部にボルト３１ａを介して回動自在に設けられた掛止金具３１と、これに対応して底面板１４の端部に設けられた掛止突起３２とから構成される。
【００２５】
掛止金具３１の端部には、掛止突起３２と掛止する掛止孔３１ｂが形成されており、掛止金具３１をボルト３１ａまわりに回動させ、掛止孔３１ｂに掛止突起３２を掛止させることにより、ロック機構３は施錠された状態となる。
また、施錠された状態から、施錠する場合とは逆方向に掛止金具３１を回動させることで、掛止突起３２を掛止孔３１ｂから外すことができ、これによりロック機構３は解錠された状態となる。
【００２６】
次に、本実施形態に係る回収箱１によって回収した廃材を排出する処理について説明する。
回収箱１が廃材で満杯になるなどすると、まず、所定のコンテナ等に回収した廃材を排出すべく、回収箱１を移動させる。
この際、廃材で重くなった回収箱１は、図５に示されるように、フォークリフト５によって運搬するのが好適である。
【００２７】
フォークリフト５による運搬にあたっては、回収箱１の背面板１３側から、背面板１３に形成されている挿通孔１３１、及び前面板１１に形成されている挿通孔１１１にフォーク５２を挿通させる。この状態でロッド５１の伸長に応じてフォーク５２を上昇させると、回収箱１が鉛直方向に持ち上げられる。
【００２８】
次に、図６に示されるように、フォークリフト５を操作して、回収箱１に回収した廃材を投入するコンテナ６まで回収箱１を運搬する。そして、フォークリフト５の支持脚５３をコンテナ６下部の隙間に挿し入れて、上面開口部が廃材の投入口６１を形成するコンテナ６の直上に回収箱１を保持する。
【００２９】
コンテナ６の投入口６１の直上に回収箱１を保持した状態で、ラッチ機構２及びロック機構３を解錠すると、底面板１４が蝶番１５まわりに回動して前面板１１側から開き、排出口１６が開放される。
排出口１６の開放に伴って、回収箱１内に収容されていた廃材は落下し、投入口６１からコンテナ６内に収容される。
【００３０】
以上の本実施形態に係る回収箱１によれば、底面板１４の開放によって、下部の排出口１６から廃材をまとめて排出することができるので、いちいち回収箱１を傾けて、投入口１０から廃材を掻き出したりせずに済み便利である。特に廃材が鋭利なものである場合には、作業員の安全に配慮することができる。
【００３１】
なお、以上の本実施形態におけるラッチ機構２やロック機構３は、排出口１６が開閉自在となるように底面板１４を前面板１１に掛止させる機構を有していればよく、上述した機構に限るものではなく、その数や取付位置も特に上述したとおりでなくともよい。また、ラッチ機構２やロック機構３は前面板１１と底面板１４とを連結するものとしたが、掛止金具２１、３１を側面板１２に設けると共に、底面板１４のこれに対応した位置に掛止突起２２、３２を設け、側面板１２と底面板１４とを連結するものとすることもできる。
【００３２】
また、回収箱１を鉛直方向に持ち上げるための挿通孔１１１、１３１の数や形状は、上述した実施形態に限るものではない。例えば、前面板１１及び背面板１３の上端部に、枠状のフレームを取り付けて挿通孔１１１、１３１と同様の役割をもたせるようにすることもできる。
【符号の説明】
【００３３】
１      回収箱
１０    投入口
１１    前面板
１２    側面板
１３    背面板
１４    底面板
１５    蝶番
１６    排出口
２      ラッチ機構
２１    掛止金具
２１ａ  掛止基部
２１ｂ  掛止片
２２    掛止突起
３      ロック機構
３１    掛止金具
３１ａ  ボルト
３１ｂ  掛止孔
３２  掛止突起
４      キャスター
５      フォークリフト
５１    ロッド
５２    フォーク
５３    支持脚
６      コンテナ
６１    投入口
【図１】
0003172827.tif 000003
【図２】
0003172827.tif 000004
【図３】
0003172827.tif 000005
【図４】
0003172827.tif 000006
【図５】
0003172827.tif 000007
【図６】
0003172827.tif 000008